(57)【特許請求の範囲】
【請求項１】
複層階のコンクリート壁を形成する化粧打込み型枠に溝加工して成る、溝付化粧打込み型枠を接続部材で複層階の各室を連結して、該溝付化粧打込み型枠を吹出し側と復路側に、単独叉は複数列建て込み、床下空間をエアコンで温度調節した床下の空調空気を、吹出し側の該溝付化粧打込み型枠に設けた吸気口と排気口を介してフアンで空調空気を室内へ排出して、排出された空調空気を復路側の該溝付化粧打込み型枠に設けた排気口を介して床下空間に戻すことで、複層階の各室の空調を可能にすることを特徴とする、室内空調を可能にする化粧打込み型枠組工法。
【請求項２】
複層階のコンクリート壁を形成する化粧打込み型枠に溝加工して成る、溝付化粧打込み型枠を接続部材で複層階の各室を連結して、複数階の居室及び非居室全ての室に単独叉は複数列建て込み、床下空間をエアコンで温度調節した床下の空調空気を、吹出し側の該溝付化粧打込み型枠に設けた吸気口と排気口を介してフアンで空調空気を各室の室内へ排出して、排出された空調空気を復路側の該溝付化粧打込み型枠に設けた排気口を介して床下空間に戻すことで、複数階の居室及び非居室全ての室を同時に空調することを特徴とする、請求項１に記載の室内空調を可能にする化粧打込み型枠組工法。
【発明の詳細な説明】
【技術分野】
【０００１】
本発明は、複層階のコンクリート壁を形成する化粧打込み型枠に溝加工して成る、溝付化粧打込み型枠を接続部材で複層階を連結して、該溝付化粧打込み型枠を用いて複層階の空調を可能にする化粧打込み型枠組工法に関する。
【背景技術】
【０００２】
従来から、住宅全体の快適性を考慮して、居間などの居室空間だけでなく、洗面所などの非居室空間も冷暖房などの空調を行える空調システムが知られている。
【０００３】
【特許文献１】特開２００９−１６２４６９号公報
【特許文献２】特開２０１２−１３７２８２(Ｐ２０１２―１３７２８２Ａ)
【発明の開示】
【発明が解決しようとする課題】
【０００４】
しかしながら、特許文献１のような従来の空調システムでは、非居室空間内に放熱器などを設置する必要があるが、洗面所などの非居室空間には、このような設置スペースを確保できない場合も多々ある。
【０００５】
特許文献２については、多層階の場合に困難が生じることに加えてコスト高となることが考えられる。
【０００６】
また、現在の住宅には、居室のエアコンから換気扇など、電気を使う電気製品がやたらと多く使用されており、それらの機器は作りだされた熱源を無駄に排出されている場合が多くある。この作りだされた熱源を大切に循環させて使う工夫と機器を減らす工夫が大切である。
【０００７】
本発明はこのような点に鑑みて成されたものであり、地熱で温度変化が少ない最階下の床下空間を一台のエアコンで空調をして、その空調空気を複層階のコンクリート壁を形成する化粧打込み型枠に溝加工して成る、溝付化粧打込み型枠を接続部材で複層階を連結して、該溝付化粧打込み型枠を介して室内空調を可能にする化粧打込み型枠組工法を提供することを目的としている。
【課題を解決するための手段】
【０００８】
この発明は、上記の課題を解決するためになされたもので、複層階のコンクリート壁を形成する化粧打込み型枠に溝加工して成る、溝付化粧打込み型枠を接続部材で複層階の各室を連結して、該溝付化粧打込み型枠を吹出し側と復路側に、単独叉は複数列建て込み、床下空間をエアコンで温度調節した床下の空調空気を、吹出し側の該溝付化粧打込み型枠に設けた吸気口と排気口を介してフアンで空調空気を室内へ排出して、排出された空調空気を復路側の該溝付化粧打込み型枠に設けた排気口を介して床下空間に戻すことで、複層階の各室の空調を可能にすることを特徴とする、室内空調を可能にする化粧打込み型枠組工法。（請求項１）を提供する。
【０００９】
複層階のコンクリート壁を形成する化粧打込み型枠に溝加工して成る、溝付化粧打込み型枠を接続部材で複層階の各室を連結して、複数階の居室及び非居室全ての室に単独叉は複数列建て込み、床下空間をエアコンで温度調節した床下の空調空気を、吹出し側の該溝付化粧打込み型枠に設けた吸気口と排気口を介してフアンで空調空気を各室の室内へ排出して、排出された空調空気を復路側の該溝付化粧打込み型枠に設けた排気口を介して床下空間に戻すことで、複数階の居室及び非居室全ての室を同時に空調することを特徴とする、請求項１に記載の室内空調を可能にする化粧打込み型枠組工法。（請求項２）を提供する。
【発明の効果】
【００１０】
本発明の特筆すべき最大の効果は、従来の住宅に於けるエアコン空調は、居室の数だけエアコンの屋外機が屋外に設置され、その屋外機からの排気熱が放出されて地球温暖化に拍車をかけている。本発明は、最階下の床下空間を一台のエアコンで温度調節して、その温度調節された空調空気を床下空間と各室を循環させて空調を行うもので、住宅の屋外機を大幅に削減できる。このエアコンの大幅な削減はコストの削減のみならず地球温暖化を防止する大きな効果がある。さらに、エアコンの削減は大幅な節電ができる効果もある。
【００１１】
請求項１に係る発明によれば、四季を通して温度変化の少ない最階下の床下空間をエアコンで温度調節をして、その温度調節された空調空気を、複層階のコンクリート壁を形成する化粧打込み型枠に溝加工して成る、溝付化粧打込み型枠を接続部材で複層階の各室を連結して、該溝付化粧打込み型枠を吹出し側と復路側に、単独叉は複数列建て込み、床下空間をエアコンで温度調節した床下の空調空気を、吹出し側の該溝付化粧打込み型枠に設けた吸気口と排気口を介してフアンで空調空気を室内へ排出して、排出された空調空気を復路側の該溝付化粧打込み型枠に設けた排気口を介して床下空間に戻すことで、複層階の各室の空調を可能にする効果が得られる。
【００１２】
請求項２に係る発明によれば、複層階のコンクリート壁を形成する化粧打込み型枠に溝加工して成る、溝付化粧打込み型枠を接続部材で複層階の各室を連結して、複数階の居室及び非居室全ての室に単独叉は複数列建て込み、床下空間をエアコンで温度調節した床下の空調空気を、吹出し側の該溝付化粧打込み型枠に設けた吸気口と排気口を介してフアンで空調空気を各室の室内へ排出して、排出された空調空気を復路側の該溝付化粧打込み型枠に設けた排気口を介して床下空間に戻すことで、複数階の居室及び非居室全ての室の空調が容易にできる効果もある。
【００１３】
さらに、多層階の溝付化粧打込み型枠は少数列で洗面室やトイレなど小部屋の非居室に空調空気を供給し、居室など大部屋は多数列にすることで空調空気量が調節できる効果や、多数列の溝付化粧打込み型枠は電気配線など多目的に利用できる効果もある。
【００１４】
また、床下空間をエアコンで温度調節することで、直上床が冷暖房された床となり、経費を掛けることなく冷暖房の床が得られることは経済的に大きな効果である。
【００１５】
特に溝付化粧打込み型枠を用いて空調空気を捨てることなく建物内を循環させることで、熱損失が大幅に削減できる効果は大きい。
【００１６】
また、洗面やトイレなどの非居室の場合は、床下空間の空調空気を溝付化粧打込み型枠の床に近い位置の排気口から空調空気を排出して、天井に近い場所に取付けられた換気扇で屋外に排出する簡易な空調の効果もある。
【発明を実施するための最良の形態】
【００１７】
以下に、本発明の実施形態の添付図面を参照しつつ詳細に説明する。
【図面の簡単な説明】
【００１８】
図1は、本発明に係る、化粧打込み型枠を用いた壁式鉄筋コンクリート造の2階建て住宅の一実施形態を示す断面図である。
図2は、溝付化粧打込み型枠７を複数列組並べて建て込みした吹出し側と複路側を示した展開図である。
図3は、化粧打込み型枠を用いたコンクリート造の外壁を拡大した断面図である。
図4は、図２の吹出し側を拡大したフアン部分の展開図である。
図5は、図２の複路側を拡大した排気口部分の展開図である。
図6は、図２の吹出し側を拡大したフアン部分の断面図である。
図7は、図２の複路側を拡大した排気口部分の断面図である。
【００１９】
本実施形態の図面について説明する。
【００２０】
図１は、化粧打込み型枠を用いた壁式鉄筋コンクリート造の2階建て住宅の一実施形態を示す断面図である。
【００２１】
図１記載の建物は、化粧打込み型枠を用いた2階建てコンクリートの建物１であって、基礎として構築された基礎底盤コンクリート１aと建物を構成する外壁コンクリート１b・二階床盤コンクリート１c・屋上床盤コンクリート１dを躯体として、一階の木床５と二階の木床６で構成されている。
【００２２】
上記した、基礎底盤コンクリート１aと一階の木床５の間には床下空間１２を設けている。その床下空間１２内をエアコン(室内機)１３で温度調節して、温度調節された空調空気を床下空間１２から空調空気を必要とする各室へ排出し循環させるために、溝付化粧打込み型枠７を吹出し側と復路側に複数列建て込み、上下階の溝付化粧打込み型枠７を接続部材８で連結して、吸気口９と排気口１０を介してフアン１１で空調空気を各室へ排出させる吹出し側外壁と、各室に排出された空調空気を復路側の溝付化粧打込み型枠７に設けた排気口１０を介して、床下空間１２へ空調空気を戻す複路側外壁に分けて空調空気を床下空間１２と各室間を循環させている。
【００２３】
外壁コンクリート１bは外壁外部化粧打込み型枠２と外壁内部化粧打込み型枠３から成り、溝付化粧打込み型枠７は外壁コンクリート１ｂの外壁内部化粧打込み型枠３のコンクリートに接する部分に、２５ｍｍ×７０ｍｍ程度の溝加工をしたものである。
【００２４】
また、床下空間１２内の温度調節は、床下にエアコン(室内機)１３と屋外にエアコン(室外機)１４をエアコン配管１５で接続する市販のものを使用している。
【００２５】
図２は、外壁コンクリート１bの外壁内部化粧打込み型枠３の中に、溝付化粧打込み型枠７を複数列組並べて建て込みした吹出し側と複路側を示した展開図である。
【００２６】
この溝付化粧打込み型枠７を複数列建て込みした吹出し側と複路側を示した展開図は、図１の吹出し側と複路側の外壁コンクリート１bの内壁を各正面から見た展開図で、吹出し側は溝付化粧打込み型枠７の床下空間１２部分に吸気口９を設けて、上部に設けた、排気口１０部分にフアン１１を設けている。二階部分は二階床盤コンクリート１c部分に接続部材８で接続をしている。複路側の溝付化粧打込み型枠７は吹出し側と同様であるが、空調効果を高めるために一階の木床５や二階の木床６の各床から４００ｍｍ程度上部に排気口１０を設けている。
【００２７】
図３は、化粧打込み型枠を用いたコンクリート造の外壁を拡大した断面図である。
【００２８】
この化粧打込み型枠を用いたコンクリート造の外壁を拡大した断面図は、外壁コンクリート１bを拡大した断面図で、外壁外部化粧打込み型枠２と外壁内部化粧打込み型枠３並びに溝付化粧打込み型枠７を雇実１６と板セパ１７を用いてビス１８で連結をして外壁コンクリート１bを構成している。さらに溝付化粧打込み型枠７はコンクリートに接する部分に２５ｍｍ×７０ｍｍ程度の溝加工をしている。
【００２９】
図４は、図２の吹出し側を拡大したフアン部分の展開図である。
【００３０】
この吹出し側を拡大したフアン部分の展開図は、溝付化粧打込み型枠７の上部に設けた複数の排気口１０部分にフアンを設けている。
【００３１】
図５は、図２の複路側を拡大した排気口部分の展開図である。
【００３２】
この複路側を拡大した排気口部分の展開図は、溝付化粧打込み型枠７に排気口１０を設けている。
【００３３】
図６は、図２の吹出し側を拡大したフアン部分の断面図である。
【００３４】
この吹出し側を拡大したフアン部分の断面図は、溝付化粧打込み型枠７に排気口１０を開けてフアン１１を設けている。
【００３５】
図７は、図２の複路側を拡大した排気口部分の断面図である。
【００３６】
この複路側を拡大した排気口部分の断面図は、溝付化粧打込み型枠７に排気口１０を設けている。
【００３７】
次に、図１に伴う実施例１について説明をする。
【００３８】
図１に示す、化粧打込み型枠を用いた壁式鉄筋コンクリート造の2階建て住宅の空調をする場合、基礎底盤コンクリート１aと一階の木床５の間に床下空間１２を設けて、その床下空間１２を一台のエアコン(室内機)１３・エアコン(室外機)１４・エアコン配管１５で冷暖房をして温度を調節した空調空気をつくる。
【００３９】
その温度調節された空調空気を床下空間１２から空調空気を必要とする各室へ排出し循環させるために、溝付化粧打込み型枠７を吹出し側と復路側に複数列建て込み、上下階の溝付化粧打込み型枠７を接続部材８で連結して、吸気口９と排気口１０を介してフアン１１で空調空気を各室へ排出させる吹出し側外壁と、各室に排出された空調空気を復路側の溝付化粧打込み型枠７に設けた排気口１０を介して、床下空間１２へ空調空気を戻す複路側外壁に分けて空調空気を床下空間１２と各室間を循環させて空調をする。
【００４０】
上記した外壁内部化粧打込み型枠３と溝付化粧打込み型枠７は、巾１５０ｍｍ×厚５０ｍｍとして溝付化粧打込み型枠７のコンクリートに接する部分に２５ｍｍ×７０ｍｍ程度の溝加工をした構成とする。
【００４１】
居室などの広い部屋の空調は、複数列(５列程度)の溝付化粧打込み型枠７に吸気口９と排気口１０を設けてフアン１１を用いて、床下空間１２の空調空気を居室内に排出させて、排出された空調空気を複数列(５列程度)の溝付化粧打込み型枠７に設けた排気口１０から床下空間１２へ、空調空気を床下空間に戻して床下空間１２と各居室を循環させて空調をする。
【００４２】
化粧室やトイレなどの狭い非居室の空調は、少数列（２列程度）の溝付化粧打込み型枠７の床上４００ｍｍ程度の場所に排気口１０を設けて、化粧室やトイレなどの狭い非居室に設けられている換気扇で屋外に排出することで空調を可能にする。
【００４３】
上記した実施例１の作用効果は一台のエアコンで、大小の居室から狭い非居室に至るまで全ての部屋の空調が安価で容易に構築できる効果と電気料金など維持費を大幅に削減できる効果は大きい。
【００４４】
また、床下空間１２をエアコンで温度調節することで、直上床が冷暖房された床となり、経費を掛けることなく冷暖房の床が得られる経済的な効果もある。
【００４５】
さらに、空調空気を循環させる溝付化粧打込み型枠７を外壁に複数列設けることで、外気熱を遮断する効果がある。他方、空調空気を捨てることなく建物内を循環させることで、熱損失が大幅に削減できる効果もある。
【００４６】
さらに、多数の部屋の空調を行うために設けた、複数列の溝付化粧打込み型枠７の溝内は電気配線など多目的に利用できる効果もある。
【００４７】
以上、図面を参照して、本発明を実施するための形態を実施例１に基づいて詳述してきたが、具体的な構成は、実施例１に限らず、本発明を逸脱しない程度の設計的変更は、本発明に含まれる。
【００４８】
例えば、上記した実施例１の実施例の図面では、本発明の説明を簡単に行えるように、図１では間仕切などを省略しているが、これに限定されず、より複雑な間仕切、さらに、より複雑な構造の建物で実施してもよい。
【００４９】
また、上記した実施例１の実施例の図面では、外壁に溝付化粧打込み型枠７を設けて実施したが、これに限定されず、これらを間仕切などの内壁内に設けて実施してもよい。
【００５０】
また、床下空間１２の温度調節をエアコンで実施しているがエアコンに限定をしない。
【００５１】
以上、本発明の実施の形態及び実施例は溝付化粧打込み型枠７を想定して説明したが、本発明の範囲はこれに限定するものではない。例えば溝付化粧打込み型枠７の形状・寸法等は、状況に応じて適宜選択されるものである。
【産業上の利用可能性】
【００５２】
今日の住宅には、居室の数だけエアコンがつけられて居室の数の屋外機が設置されている。その屋外機からの排気熱が放出されて地球温暖化に拍車をかけている。本発明は、温度変化の少ない最階下の床下空間を一台のエアコンで温度調節して、その温度調節された空調空気を床下空間と各室を循環させて空調を行うもので住宅の屋外機を大幅に削減できる。今後は床下空間と内壁の通気路を循環させる冷暖房システムが主流となる可能性は大である。
【符号の説明】
【００５３】
１コンクリートの建物
１a基礎床盤コンクリート
１b外壁コンクリート
１c二階床盤コンクリート
１d屋上床盤コンクリート
２外壁外部化粧打込み型枠
３外壁内部化粧打込み型枠
４スラブ化粧打込み型枠
５一階の木床
６二階の木床
７溝付化粧打込み型枠
８接続部材
９吸気口
１０排気口
１１フアン
１２床下空間
１３エアコン(室内機)
１４エアコン(室外機)
１５エアコン配管
１６雇実
１７板セパ
１８ビス
１９天井
【要約】
【課題】溝付化粧打込み型枠を接続部材で複層階を連結した溝付化粧打込み型枠を用いて室内空調を可能にする化粧打込み型枠組工法を提供する。
【解決手段】複層階のコンクリート壁を形成する化粧打込み型枠に溝加工して成る、溝付化粧打込み型枠７を接続部材８で複層階の各室を連結して、該溝付化粧打込み型枠７を吹出し側と復路側に、単独叉は複数列建て込み、床下空間１２をエアコンで温度調節した床下の空調空気を、吹出し側の該溝付化粧打込み型枠７に設けた吸気口９と排気口１０を介してフアン１１で空調空気を室内へ排出して、排出された空調空気を復路側の該溝付化粧打込み型枠７に設けた排気口１０を介して床下空間１２に戻すことで、複層階の各室の空調ができる室内空調を可能にする化粧打込み型枠組工法。
【選択図】  図1【図１】
0005360627.tif 000002
【図２】
0005360627.tif 000003
【図３】
0005360627.tif 000004
【図４】
0005360627.tif 000005
【図５】
0005360627.tif 000006
【図６】
0005360627.tif 000007
【図７】
0005360627.tif 000008